(57)【要約】【課題】  点灯と消灯を繰り返さずにインバータによる電流制御によりエレベータかご内減光照明を行う制御方式において、継続的に照明が点灯することにより光量が落ちることを防止する。【解決手段】   照明の光量制御手段を構成する安定器の出力とその継続時間の累積値より蛍光管の光束維持率の低下を推定し、安定器出力を自動調整して通常点灯時の光量を維持し且つ全輝度点灯よりも抑制された光量に制御することにより、省電力効果と省資源効果の双方を得る。【選択図】        図１
2005272073.tif 000002
【特許請求の範囲】
【請求項１】
かご内照明装置と該照明装置の光量を制御する光量制御手段を設けたものにおいて、
該照明装置への供給電流とその電流供給を継続した時間を測定して記憶する手段と該測定記憶された供給電流及びその継続時間より該照明装置の光量低下を推定演算する手段とを備え、前記光量制御手段は該照明装置の光量低下を補正することを特徴とするエレベータのかご内照明制御装置。
【請求項２】
前記光量制御手段は前記照明装置点灯開始時より所定時間経過時までは該照明装置を全点灯に当たる光量より低い所定の光量で点灯することを特徴とする請求項１に記載のエレベータのかご内照明制御装置。
【請求項３】
前記光量制御手段はインバータを用いた手段であることを特徴とする請求項１又は請求項２に記載のエレベータのかご内照明制御装置。
【請求項４】
前記光量制御手段はインバータの出力周波数を調整する手段であることを特徴とする請求項１乃至請求項３に記載のエレベータのかご内照明制御装置。
【請求項５】
前記光量制御手段はインバータの出力電流を調整する手段であることを特徴とする請求項１乃至請求項３に記載のエレベータのかご内照明制御装置。
【発明の詳細な説明】
【技術分野】
【０００１】
本発明は、照明灯の劣化状態に応じた適正な光量調節とエレベータの運転状態に応じた光量調節及び給電制御を行うエレベータのかご内照明装置に関する。
【背景技術】
【０００２】
従来から、エレベータのかご内照明装置には、省電力効果を目的にエレベータ休止時に消灯させ、乗客がエレベータを使用する時に点灯させるものがある。すなわち、呼び登録が入りかごが当該呼び階に到着してドアを開いたときに自動点灯させるようにするものである。（特許文献１参照）
【０００３】
また、近年では、蛍光灯の点灯と消灯の繰返しにより、蛍光灯のフィラメントに塗布されている熱電子放出促進剤の飛散が増加し結果として蛍光灯の寿命が短くなる問題を解決すべく、エレベータが休止している状態においては、かご内照明を消灯するのではなく、蛍光灯の電流制御により光量低減を図る方式が提案されている。すなわち、図４において、エレベータが通常運転状態の場合には、リレー接点７ｂを通じて全輝度回路２ｃにより全輝度点灯電流基準が電流制御回路２ａに入力され、照明装置１が明るく点灯する。一方、エレベータの休止状態、すなわち、かご呼び又は乗場呼びがなくなってドアが閉じた状態になると、リレー接点７ａを通じて輝度抑制点灯制御回路２ｂにより輝度抑制電流基準が電流制御回路２ａに入力され、照明装置１が暗く点灯するものである。なお、３は交流電源である。（特許文献２参照）
【特許文献１】実公昭５６−４２２９７号広報
【特許文献２】特許第３３４４８６５号公報
【発明の開示】
【発明が解決しようとする課題】
【０００４】
しかし、蛍光灯の寿命を延命させるべく単にエレベータ休止時に供給電流を減少させても、電力消費が余分に発生し省電力効果を最大限に得ることはできない。すなわち、蛍光管の発する光量は使用開始時に最大であり継続的に点灯するにしたがって光量は低下するが、照明器具は一定時間使用後の光量が適正となるように設計されるため、点灯初期において過大な光量を発生することにより電力を余分に消費することになる。また、エレベータ休止時にも蛍光管を減光点灯し続けるため、点灯を継続させることによる蛍光管の電力損失と電流制御装置における電力損失が発生し続けることになり、エレベータ休止時に消灯を行う方式よりも消費電力が増加する。
【０００５】
また、蛍光管は劣化するに従い単位電流供給量当たりの光量が減少することが知られているが、上記した従来方式では、蛍光管の劣化状態に関わらずエレベータ運転時及び休止時に決められた電流値の供給を行っているため、光量を一定値以上に保とうとする限り、蛍光管の交換以外に方法がなく、廃棄蛍光管が大量に発生するという問題も生じていた。
【課題を解決するための手段】
【０００６】
本発明は、蛍光管への供給電流値とその電流供給を継続した使用時間の情報から蛍光管の劣化状態を推定し、劣化の度合いに応じた適正な電流値で電流供給することで蛍光管の発する光量を適正に保つ仕組みを実現する。また、エレベータの休止状態開始時に蛍光管への電流値を調節して光量を減少させるとともに、長時間に渡りエレベータが休止状態であることを検知すると光量調整を行う電流制御回路を含む照明装置全体への電流供給を完全に停止することにより、蛍光管及び電流制御装置における電力消費をなくすことで、さらなる消費電力低減を図るものである。
【発明の効果】
【０００７】
本発明によれば、エレベータのかご内照明器具に用いる蛍光管の劣化状態を、あらかじめ定められた負荷率毎の劣化曲線に応じて推定し、適正な光量となるよう蛍光管に供給される電流値を調整するので、蛍光管の使用開始初期の蛍光管に供給する電力を適切に低減できる。これにより、過度の光量発生を抑制して電力消費を低減することのよる省電力効果と、蛍光管の劣化を防いで寿命を延長させることによる省資源効果を得ることができる。このことは、蛍光管に発せしめる光量を所要量よりやや大きくさせた場合に顕著であり、蛍光管に供給する電流値の調整による光量の補償に係る調整幅を設定できる事から、適正なる供給電流値の調整による蛍光管の劣化の抑制により、蛍光管交換回数のさらなる削減ができて、メンテナンス費用の節減効果が大きい。
【０００８】
また、蛍光管に対して一定の電流供給しか行わない従来の方式では劣化が進むことにより所要量の光量を発することができなくなった蛍光管に対しても、劣化状態に応じ蛍光管に供給する電流値を増加させて所要量の光量を発せしめながらの継続使用を可能とした結果として、廃棄される蛍光管の数をさらに減らすことができるという省資源効果も併せて得ることができる。
【０００９】
さらに、本発明では、エレベータの休止状態開始時より一定時間に係る休止状態初期に蛍光管への供給電流値を調節して光量低減を行うとともに、長時間に渡る休止状態を検知すると光量調節を行う電流制御回路を含む照明装置全体への電流供給を完全に停止するように装置を構成することにより、点灯消灯回数の低減が図れて蛍光管劣化を抑制すると共に長時間に渡る休止では完全に照明装置への電流供給値をなくすことにより、消費電力を削減する効果が得られる。
【発明を実施するための最良の形態】
【００１０】
本発明は、エレベータかご内の照明を、乗客が居ないときに消灯するのではなく蛍光管の寿命を考慮して、インバータによる電流制御で光量を下げる方式において、光量を調整した状態を、過去の安定器出力と継続時間の累積値より光束維持率の低下を推定し予め安定器出力を自動調整することにより制御するものである。
【実施例１】
【００１１】
以下、本発明の実施例について図面を用いて説明する。図１は本発明に係る制御系全体の構成を示したものであり、図２はかご内照明の点灯開始時の光量の変化を示すものであり、図３は安定器出力と光束維持率の時系列変化を示すものである。
【００１２】
図中、図４と同一符号のものは同一のものを示すものとする。
【００１３】
図１において、１０は照明装置１の点灯光量を制御するインバータ装置、１１は該インバータ装置１０の出力電流を安定化させる安定器、１２は照明装置１に供給される電流を検出する電流検出器、１３はこの電流検出器の示す出力の継続時間を演算する継続時間演算器、１４は電流検出器１２の出力及び継続時間演算器１３の出力から光束維持率の低下を推定する光束維持率推定演算器、１５は本発明に係る最適な輝度を指令する輝度指令器、１６は本発明に係る輝度抑制指令を入力する輝度抑制指令器で、何れの指令もインバータ装置１０の周波数を指令するものである。
【００１４】
まず、エレベータの休止状態においては、接点７ａを通じて輝度抑制指令器１６により、照明装置１の照度を暗くするが、この休止状態が所定時間以上継続すると、接点２０の閉動作により交流電源３からインバータ装置１０への給電を停止する。
【００１５】
次に、エレベータの運転状態においては、照明装置１を全点灯させず、光束維持率推定演算器１４から得られる信号に基づき輝度指令器１５を作動させることにより、該照明装置１を最適な照度で点灯させるものである。輝度指令器１５により、インバータ装置１０の出力周波数を上昇させ、安定器１１のインピーダンスを上げることにより供給電流を抑制させて、照明装置１の光量を下げる。
【００１６】
蛍光灯に係る照明は通常放電される電子の放電周波数により照度が決まるよう構成されるが、周波数の変化に反比例した供給電流Ｉを照明装置１に供給することにより、適切な調光状態を実現することができる。
【００１７】
調光点灯状態を実現するためには、下記の式において発振周波数ｆを発振制御回路により変調すれば良い。
(数１)
Ｅ
Ｉ＝
２πｆＬ
Ｅ：発振部の出力電圧、Ｌ：チョークＬＨインダクタンス、ｆ：発振周波数
【００１８】
即ち、以上の構成による制御により照明装置１は、停電等の場合を除き、常時点灯状態となっており、点灯と消灯を繰り返すことがなく蛍光管の消耗を避けることができ、結果として蛍光管の交換回数を大幅に削減して省資源に寄与することになる。
【００１９】
しかし、照明１が常時点灯状態であれば、光束量が落ちるという問題が発生する。
【００２０】
そこで、照明装置１の点灯開始時の初期光量を全点灯状態の７０％近傍にインバータ制御により設定することにより、電力消費量を削減し且つ蛍光管の寿命の長期化を図る方法が有効である。具体的には、図２に示すとおり、点灯開始時より若干の時間が経過した後に安定して出力される光量が、該照明装置１の全点灯状態の７０％程度に抑制されるように電流供給を制御するのである。
【００２１】
即ち、図２に示すように、点灯開始初期より蛍光灯の定格出力より低い出力、例えば７０％に抑制した形で電流供給を行うことにより、安定状態における光量を抑制するのである。このような制御を行うことにより、蛍光灯の消耗を避けることができて、蛍光管の交換回数を減らし、結果として省資源に寄与できる。
【００２２】
さらに、安定器出力の継続時間から光束維持率を推定し、適切に照明装置１の光量を維持することが必要となる。通常は、図３に示すように、蛍光灯は点灯開始時よりも光束維持率が漸減して行くことが知られているが、安定器１１の出力継続時間演算器１２を経て、光束維持率推定演算手段１３により算出された出力信号をインバータ１０が受けて適切な周波数の電流を照明装置１に供給することにより、該照明装置１の光束維持率を適正に維持することができ、乗客にかご内での暗さを感じさせることなく、省電力にも寄与できる。
【００２３】
上記のような構成にした結果として、蛍光管の消耗を避けることによる省資源効果と光量を制御することによる省電力効果を併せて得ることができ、従来技術で課題とされてきた、省電力効果を重視するために点灯と消灯を繰り返すならば、そのことによって蛍光管を消耗し廃棄蛍光管が多量に発生するという問題と、廃棄蛍光管を削減するために常時点灯状態とするならば常時電力供給することによる過剰な電力消費が起こるという問題の双方を解決することができる。
【００２４】
以上のように、本発明により、エレベータのかご内照明を乗客が居なくて待機状態にあるときにインバータ型安定器により光量を抑制する制御を行い消費電力低減を行うことができる。なお、以上の説明では、照明装置の光量制御手段をインバータの出力周波数の可変にすることにより行っているが、出力電流を直接制御する手段により、該光量制御装置を構成しても構わない。
【００２５】
蛍光管の光量を所要量よりやや大きいものとして余裕を持たせ、点灯開始初期状態の安定器出力を定格より小さく設定する事で、蛍光管の寿命を延ばすことができ、それにより蛍光管交換に係るメンテナンス費用を低減できる効果があること、そして、蛍光管の光束維持率の低下を予め予測して安定器出力を自動調整することにより、継続的に点灯する際に光量が落ちることを防止し照明灯によるかご内の明るさを維持できる。
【産業上の利用可能性】
【００２６】
本発明はエレベータのかご内照明制御装置を例に挙げて述べているが、エレベータ以外の照明装置にも応用できるものとできる。
【図面の簡単な説明】
【００２７】
【図１】本発明の一実施例を示す全体構成図である。
【図２】照明装置１の光量の時系列変化を示す図である。
【図３】照明装置１の光束維持率の時系列変化を示す図である。
【図４】特許文献２に係る従来の実施例の一例を示す図である。
【符号の説明】
【００２８】
１  照明装置
２  電流制御回路
３  電源
４  休止検出回路
５  運転状態検出リレー
６  ドア状態検出リレー
７  かご内乗客検出リレー
１０  インバータ
１１  安定器
１２  電流検出器
１３  継続時間演算器
１４  光束維持率推定演算器
１５  輝度指令器
１６  輝度抑制指令器
２０  電源供給接点
【図１】
2005272073.tif 000003
【図２】
2005272073.tif 000004
【図３】
2005272073.tif 000005
【図４】
2005272073.tif 000006